(57)【特許請求の範囲】
【請求項１】
被清掃面に対して個別に面当接可能な清掃部を複数有する清掃用具に保持される清掃布において、
前記清掃用具に保持されたときに前記各清掃部のうちの少なくとも１つに対応する位置で前記清掃布の片面側に形成された粘着面を備え、前記粘着面が前記被清掃面を清掃可能な不織布からなる剥離可能な保護シートにて覆われていることを特徴とする清掃布。
【発明の詳細な説明】
【０００１】
【発明の属する技術分野】
本発明は清掃布に係り、さらに詳しく言えば、先に本願出願人が提案した清掃用具に好適な清掃布に関するものである。
【０００２】
【従来の技術】
近年、建物内部のフローリング，畳，クッションフロア等の床面や、各種電化製品あるいは家具の表面等の被清掃面を清掃するための清掃用具が各種提案されている。例えば本出願人は、特願平７−１５１０６３号および特願平７−２０６６３５号において、清掃布を保持する本体に支持アームを接続した清掃用具を提案した。
【０００３】
本出願人による清掃用具は、清掃布が例えば略薄板直方体形状の本体に巻き付くように保持されるとともに、支持アームが本体を回転可能に軸支している。これらの清掃用具によれば、清掃中、適宜本体を床面から離して回転させれば、清掃布を介して本体の各端面に設けられた清掃部が被清掃面に順次面摺接できるため、清掃布の片面略全域に汚れが蓄積するまで清掃を継続することができる。なお、清掃布は、例えば不織布とされ、被清掃面上の埃，塵等を繊維間に取り込むことにより除去する。
【０００４】
【発明が解決しようとする課題】
ところが、この清掃用具は、清掃布の繊維間に取り込める埃，塵の大きさに上限があるため、一定以上の大きさを有する埃，塵や砂等を被清掃面から除去できないという問題がある。
【０００５】
本発明は、このような従来の問題を解決するためになされたもので、その目的は、被清掃面に対して個別に面当接可能な清掃部を複数有する清掃用具に保持され、かつ、一定以上の大きさを有する埃，塵や砂等を被清掃面から確実に除去できる清掃布を提供することにある。
【０００６】
【課題を解決するための手段】
本発明は、先に本出願人が提案した清掃用具に本発明者らが着目して案出したものである。すなわち、前記目的を達成するために、本発明は、被清掃面に対して個別に面当接可能な清掃部を複数有する清掃用具に保持される清掃布において、前記清掃用具に保持されたときに前記各清掃部のうちの少なくとも１つに対応する位置で前記清掃布の片面側に形成された粘着面を備え、前記粘着面が前記被清掃面を清掃可能な不織布からなる剥離可能な保護シートにて覆われていることを特徴としている。
【０００７】
この場合、清掃用具としては、先に本出願人が提案した清掃用具が採用できるが、例えば略箱形状の本体が支持アームに軸支されている必要はなく、本体に固定式のグリップを取り付けただけでもよい。また、清掃布としては、従来から広く用いられている不織布以外にも雑巾等の織布を採用してもよい。
【０００８】
さらに、粘着面としては、例えば一定以上の大きさを有する埃，塵や砂等を粘着可能であればよく、粘着剤の塗布や粘着テープの貼付等により形成したり、あるいは所定形状の粘着シートを清掃布に縫製，熱溶着，超音波溶着等の適宜な方法により取り付けることにより形成すればよい。そして、粘着剤を塗布する場合、粘着剤を所定領域の全面に塗布してもよく、あるいは筋状，格子状，同心円状，点状に塗布してもよい。以上のような粘着面は、清掃布と異なる所望色であってもよい。
【０００９】
本発明によれば、粘着面が被清掃面を清掃可能な不織布からなる剥離可能な保護シートにて覆われているため、保管時あるいは未使用時に粘着面の粘着力低下を防止することができるばかりでなく、保護シートを剥離しない状態でも床面を清掃可能であり、したがって、例えば先に粘着面が形成されていない一面により清掃を行った後、粘着面側の保護シートを利用して清掃を行い、最後に保護シートを剥離させて露出した粘着面により大きな埃，塵や砂等を被清掃面から除去すれば、粘着面が本体に張り付くことがないとともに、清掃布に無駄が生じないことになる。
【００１０】
【発明の実施の形態】
以下、本発明の実施例を図面に基づいて説明する。図１には、本発明に係る一実施例が示されている。本実施例の清掃布１０は、先に本出願人が提案した清掃用具２０に保持され、被清掃面である建物内部の床面２１や、各種電化製品あるいは家具の表面等を清掃するために用いられる。
【００１１】
清掃用具２０は、清掃布１０を保持可能な略箱状の本体２２と、この本体を回転可能に軸支する支持アーム２３とを有している。本体２２は、略薄板直方体形状とされ、床面２１に面当接可能な一対の清掃部２４，２５が設けられている。
【００１２】
一方、清掃布１０は略長方形に形成された不織布とされ、本体２２に巻き付けられるとともに、長手方向両端縁が清掃部２４，２５間に設けられた溝状の保持部２６に押し込まれることにより保持される。このような清掃用具２０は、清掃布１０を介して清掃部２４あるいは清掃部２５を床面２１に摺接することにより、清掃布１０の繊維間に埃，塵等を取り込み、これにより床面２１を清掃する。
【００１３】
そして、本実施例の清掃布１０は、片面の所定位置に粘着面１１が形成されている。粘着面１１は、清掃布１０が本体２０に保持されたときに、一方の清掃部２４を覆うような領域全面に粘着剤を塗布することにより形成されている。なお、粘着剤は、清掃布１０と異なる所望色でもよい。このような清掃布１０は、粘着部１１が剥離可能な保護シート１２に覆われている。
【００１４】
次に、本実施例の清掃布１０を用いた清掃用具２０の使用方法を説明する。まず、粘着面１１が清掃部２４に対応して配置されるように清掃布１０を本体２０に保持させた後、保護シート１２を粘着面１１から剥離させる。そして、図２（Ａ）に示すように、清掃布１０を介して清掃部２５を床面２１に面摺接させることにより、床面２１を清掃する。
【００１５】
次に、清掃布１０が繊維間に取り込めないような一定以上の大きさを有する埃，塵や砂等を床面２１から除去できない場合には、図２（Ｂ）に示すように、支持アーム２３を上昇させることにより本体２２を床面２１から離間させた後、本体２２を稜線が床面２１に接触するように降下させる（図２（Ｃ）参照）。
【００１６】
そして、このまま降下させることにより本体２２を図中時計廻りに回転させ、粘着面１１を介して清掃部２４を床面２１に面当接させ、かつ、反復押圧させる。この際、床面２１上の埃，塵や砂等は粘着面１１に張り付き、これにより床面２１から除去される。
【００１７】
本実施例の清掃布１０によれば、先に本出願人が提案した清掃用具２０に適用することにより、繊維間に取り込めないような大きさを有する埃，塵や砂等を粘着面１１により床面２１から除去でき、従来の問題を解決できる。また、清掃面１０は、粘着面１１が剥離可能な保護シート１２に覆われているため、保管時あるいは未使用時に粘着面１１の粘着力低下を防止できる。
【００１８】
そして、例えばあらかじめ粘着面１１を保護シート１２により覆ったまま、粘着面１１が清掃部２４を向くようにして清掃布１０を本体２０に保持させれば、粘着面１１が本体２０に張り付くことなく床面２１を清掃でき、かつ、次いで清掃布１０を裏返した後、保護シート１２を剥離させて床面２１を清掃すれば、清掃布１０の表裏両面を無駄なく使用できるとともに、埃，塵や砂等を床面２１から確実に除去できる。
【００１９】
図３には、本発明に係る他の実施例が示されている。なお、以下に説明する実施例において、既に図１および図２において説明した部材については、図中に同一符号を付すことにより説明を簡略あるいは省略する。
【００２０】
本実施例の清掃布１０Ａは、片面の略全域にわたって粘着面１１Ａが形成されているとともに、粘着面１１Ａを覆う保護シート１２Ａが床面２１を清掃可能な不織布とされている。このような本実施例によれば、清掃布１０Ａは、保護シート１２Ａを剥離させない状態で清掃用具２０の本体２２に保持されていれば、保護シート１２Ａが床面２１に順次面摺接することにより、床面２１の清掃を行える。したがって、この清掃布１０Ａは、その全域にわたって床面２１の通常清掃と粘着清掃とを行える。また、この清掃布１０Ａによれば、清掃部を複数備えていない清掃用具においても、通常清掃および粘着清掃を行える。
【００２１】
なお、本発明は前述した実施例に限定されるものではなく、本発明を達成できる範囲での改良，変形等は本発明に含まれるものである。例えば、前述した実施例では、清掃布を保持可能な本体を支持アームが回転可能に軸支していたが、本発明の清掃布は、図４に示すように、略箱形状の本体２２に固定式グリップ２３Ａを取り付けただけの清掃用具２０Ａにも適用可能である。
【００２２】
また、清掃布としては、従来から広く用いられている不織布以外にも、雑巾等に用いられる織布を採用してもよい。さらに、粘着面としては、所定幅を有する粘着テープを清掃布の所定位置に貼付することにより形成してもよく、あるいは別途粘着シートを清掃布に縫製，熱溶着，超音波溶着等の適宜な方法により取り付けることにより形成してもよい。
【００２３】
また、粘着剤を塗布する場合、粘着剤を所定領域の全面に塗布したり、あるいは筋状，格子状，同心円状，点状に塗布してもよく、その色も任意である。例えば、粘着面を清掃布と異なる所望色に設定しておけば、粘着面の位置が明らかになるため、誤使用の虞れがない。
【００２４】
【発明の効果】
本発明によれば、例えば先に本願出願が提案した清掃用具に用いれば、被清掃面から除去できない大きさの埃，塵や砂等を粘着面の粘着力により除去できる。また、通常清掃と粘着清掃とを行える。
【図面の簡単な説明】
【図１】  本発明の一実施例を示す斜視図である。
【図２】  本発明の清掃布を用いた清掃用具に使用方法を示す模式図である。
【図３】  本発明の他の実施例を示す斜視図である。
【図４】  本発明の変形例を示す模式図である。
【符号の説明】
１０  清掃布
１１  粘着部
１２  保護シート
２０  清掃用具
２１  被清掃面である床面
２４，２５  清掃部
【図１】
0003660419.tif 000002
【図２】
0003660419.tif 000003
【図３】
0003660419.tif 000004
【図４】
0003660419.tif 000005